(57)【特許請求の範囲】
【請求項１】
水道等の送、配水管１５周壁の分水栓取付穴１６、１６Ｂに取付ける分水栓本体２１、２１Ｂに、当該分水栓本体２１、２１Ｂ基部の分水穴２５付弁座２３面に当接するパッキング２９を下部に備える栓棒２６を挿入し、前記分水穴２５付弁座２３と、前記栓棒２６基部のパッキング２９との密接により、前記配水管１５からの当該分水栓本体２１、２１Ｂ内への水の侵入を防止可能にすると共に、該栓棒２６を前記分水栓本体２１、２１Ｂの頂部に着脱可能に取付けたキャップ２７にねじ係合させ、該栓棒２６の頂部に当該栓棒２６を昇降させて前記弁座２３面と前記パッキング２９とを当接又は離間させるハンドル２８等の回動手段を設ける一方、前記分水栓本体２１、２１Ｂ基部周壁の前記弁座２３に近接する上位で、少なくとも前記パッキング２９の前記弁座２３への当接状態における、前記配水管１５からの当該分水栓本体２１、２１Ｂ内への水の侵入防止を妨げない位置に分水穴３１、３１Ｂを設け、該分水穴３１、３１Ｂまわりに分水管３２、３２Ｂの基部を取付け、該分水管３２、３２Ｂ内にパッキング３６Ｂを備える第２栓棒３６を挿入し、該第２栓棒３６基部を前記分水管３２、３２Ｂの端部に着脱可能にねじ締めした止め栓３５の内側に取付け、かつ、該分水管３２、３２Ｂの端部に受水管３３、圧力計等の適宜手段を取付け可能にしたことを特徴とする不凍結分水栓。
【請求項２】
前記水道等の送、配水管１５周壁の補強板１５Ｂ取付部に分水栓取付穴１６、１６Ｂを設け、該分水栓取付穴１６、１６Ｂに分水栓本体２１、２１Ｂ基部の分水穴２５付弁座２３まわりを溶着、ねじ止め等の適宜手段で取付けると共に、該分水栓本体２１、２１Ｂ基部周壁の前記弁座２３近接上位に分水穴３１、３１Ｂ設け、該分水穴３１、３１Ｂに分水管３２、３２Ｂ基部を溶着、ねじ締め等の適宜手段により取付けたことを特徴とする請求項１記載の不凍結分水栓。
【請求項３】
前記分水栓本体２１、２１Ｂ基部側壁の前記弁座２３近接上位に設けた分水穴３１、３１Ｂに、前記分水管３２、３２Ｂの基部を、当該分水管３２、３２Ｂの端部がその基部より僅かに降下するように取付けたことを特徴とする請求項１又は２記載の不凍結分水栓。
【発明の詳細な説明】
【０００１】
【産業上の利用分野】
この発明は、不凍結分水栓、殊に、水道管等の各種送、配水管から分水するための分水栓を閉塞した不使用状態において、当該分水栓内の水を残留させないようにすることにより、仮に、当該分水栓を寒冷地に配設しても、分水栓内に残留する水が凍結して、当該分水栓の損傷を招く恐れのない不凍結分水栓に関する。
【０００２】
【従来の技術】
従来の水道等の送、配水管から分水する分水栓としては、例えば、その要部を図５の模式縦断説明図に略示するような、日本水道協会規定の標準規格の分水栓がある。
【０００３】
この標準規格の分水栓１は、送、配水管１５の周壁に設けた分水穴１６まわりにガスケット１２が位置するようにサドル１１に取付けた分水栓１を配し、該サドル１１に回動可能に設けたバンド１３をボルト１４、１４を介して、当該サドル１１に掛けて締め付けることにより、送、配水管１５まわりに取付けるもので、分水栓１の胴２部上端にねじ込んだキャップ８を外し、同部に分水管１０を連結した後にボール押え４を緩め、次いで、栓棒６を図５の状態から垂直方向に９０°回わし、同図５に破線で略示する水平方向の通水穴３Ａを、同図に一点鎖線で略示する上下方向の通水穴３ＡＡとした後、ボール押え４を逆転してその状態を確保し、送、配水管１５の水を分水穴１６、ボール３の上下方向の通水穴３ＡＡ等を介して分水管１０へ流出させるようにしたものである。
なお、この分水栓１は、必要に応じて、その胴２上端からキャップ８を外して、その後に、例えば、水圧計や、送、配水管路中に発生する空気抜き具等の適宜手段を取付けて、所望の動作をさせることもある。
【０００４】
【発明が解決しようとする課題】
前記標準規格の分水栓は、その胴２上端への受水管１０又は圧力計等の接続により、水道等の送、配水管１５から所要の分水や、水圧検出等を行なえるものの、このものにあっては、その不使用時の閉塞状態において、当該分水栓１内に水が残留する構造になっていたため、仮に、この分水栓１を寒冷地配設の水道等の送、配水管１５に設ければ、当該分水栓１内の残留水が凍結して、その破損を招く恐れがあった。
【０００５】
即ち、この分水栓１のボール３の通水穴３Ａを、図５の水平方向をなす閉塞状態３ＡＡから、ボール押え４を回わしてボール３を緩めた後、栓棒６により同ボール３を垂直面内で９０°回わして通水穴３Ａを上下方向をなす３Ａの通水状態にした後、ボール押え４を締めてその状態を確保することにより、配水管１５の水を分水穴１６、ボール３の上下方向の通水穴３ＡＡ、受水管１０を介して分水し、又は前記胴２の端部に水圧計等を取付けて、水圧の検出等の所要の操作をする。
【０００６】
所要量の分水や圧力計による圧力測定操作等の終了後、ボール押え４を緩めた後、栓棒６によりボール３を垂直面内で９０°回わして通水穴３Ａを水平方向３ＡＡにして通水路３Ａを閉塞し、ボール押え４によりボール３を押えてその状態を確保する。次いで、胴２上端から分水管１０を外し、適所に保管したキャップ８を締めてこの分水栓１を閉塞するものであったため、閉塞状態の分水栓１内のボール３の水平状をなす通水穴３ＡＡ内に水が滞留して抜け難く、この水平状態の通水穴３ＡＡ内の滞留水が気温低下等により凍結し、当該分水栓１の破壊を招く恐れがあった。
【０００７】
その上、前記従来例の分水栓１にあっては、水道等の送、配水管１５の周壁部から起立する立上り管を介して取付けられることが多く、送、配水管１５と分水栓１との間に位置する立上がり管内にも水が滞留し、この立上がり管内の滞留水の凍結も、分水栓１のボール３の水平状をなす通水穴３Ａ内に残留する水の凍結と共に、当該分水栓１の破損に悪影響を与えるきらいがあった。
【０００８】
この発明は、水道等の送、配水管から分水する分水栓、殊に、その分水栓本体の止水部としての弁座を、当該送、配水管に近接するように配設可能に構成すると共に、同分水栓本体の止水部に近接する上位に分水管を設けることにより、当該分水栓の閉塞状態における同分水栓内への残留水を実質的になくし、ないし著しく減少させて、従来例の分水栓のように、当該分水栓内に残留する水の凍結により、不用意に当該分水栓の損傷発生を招く恐れのない、不凍結分水栓を提供しようとするものである。
【０００９】
【課題を解決する手段】
この発明は従来例における前記のような課題を解決するために、水道等の送、配水管１５周壁の分水栓取付穴１６、１６Ｂに取付ける分水栓本体２１、２１Ｂに、当該分水栓本体２１、２１Ｂ基部の分水穴２５付弁座２３面に当接するパッキング２９を下部に備える栓棒２６を挿入し、前記分水穴２５付弁座２３と、前記栓棒２６基部のパッキング２９との密接により、前記配水管１５からの当該分水栓本体２１、２１Ｂ内への水の侵入を防止可能にすると共に、該栓棒２６を前記分水栓本体２１、２１Ｂの頂部に着脱可能に取付けたキャップ２７にねじ係合させ、該栓棒２６の頂部に当該栓棒２６を昇降させて前記弁座２３面と前記パッキング２９とを当接又は離間させるハンドル２８等の回動手段を設ける一方、前記分水栓本体２１、２１Ｂ基部周壁の前記弁座２３に近接する上位で、少なくとも前記パッキング２９の前記弁座２３への当接状態における、前記配水管１５からの当該分水栓本体２１、２１Ｂ内への水の侵入防止を妨げない位置に分水穴３１、３１Ｂを設け、該分水穴３１、３１Ｂまわりに分水管３２、３２Ｂの基部を取付け、該分水管３２、３２Ｂ内にパッキング３６Ｂを備える第２栓棒３６を挿入し、該第２栓棒３６基部を前記分水管３２、３２Ｂの端部に着脱可能にねじ締めした止め栓３５の内側に取付け、かつ、該分水管３２、３２Ｂの端部に受水管３３、圧力計等の適宜手段を取付け可能にした不凍結分水栓である。
【００１０】
また、前記水道等の送、配水管１５周壁の補強板１５Ｂ取付部に分水栓取付穴１６、１６Ｂを設け、該分水栓取付穴１６、１６Ｂに分水栓本体２１、２１Ｂ基部の分水穴２５付弁座２３まわりを溶着、ねじ止め等の適宜手段で取付けると共に、該分水栓本体２１、２１Ｂ基部周壁の前記弁座２３近接上位に分水穴３１、３１Ｂ設け、該分水穴３１、３１Ｂに分水管３２、３２Ｂ基部を溶着、ねじ締め等の適宜手段により取付けたものであり、さらに、前記分水栓本体２１、２１Ｂ基部側壁の前記弁座２３近接上位に設けた分水穴３１、３１Ｂに、前記分水管３２、３２Ｂの基部を、当該分水管３２、３２Ｂの端部がその基部より僅かに降下するように取付けたものである。
【００１１】
【作用】
この不凍結分水栓は、前記のような構成を有するから、水道等の送、配水管１５周壁の分水栓取付穴１６、１６Ｂに取付けた、分水栓本体２１、２１Ｂ基部の分水穴２５を、ハンドル２８等により栓棒２６を回わしてその基部のパッキング２９により閉塞した後、当該分水栓本体２１、２１Ｂ基部の弁座２３に近接上位の分水穴３１、３１Ｂに取付けた分水管３２、３２Ｂから、パッキング３６Ｂ、第２栓棒３６、止め栓３５等を外して適所に保管する一方、前記分水管３２、３２Ｂ端部に受水管３３、又は圧力計等の適宜手段を取付ける。その後、ハンドル２８等により栓棒２６を前記と逆向きに回わし、栓棒２６と共にパッキング２９を後退させて分水穴２５を開き、配水管１５の水を分水穴３１、３１Ｂ、分水管３２、３２Ｂを介して受水管３３で受水し、又は該分水管３２、３２Ｂ端部に取付けた圧力計により、前記配水管１５、１５Ａ内の圧力の検出等、所要の操作をする。
【００１２】
分水管３２、３２Ｂ端部に取付けた受水管３３からの受水、又は同分水管３２、３２Ｂ端部に取付けた圧力計による送、配水管１５、１５Ａ内の圧力検出等の所要の操作後、ハンドル２８等により栓棒２６を前記と逆向きに回わしてパッキング２９を弁座２３に密接させて分水穴２５を閉塞する。その後、分水管３２、３２Ｂの端部から受水管３３又は圧力計等を外す。この際、仮に、当該分水管３２、３２Ｂ内に水が残留すれば、当該残留水の大半がその自重により当該分水管３２、３２Ｂの開放端から外部へ排出される。
【００１３】
次いで、適所に保管したバッキング３６Ｂ、第２栓棒３６等を分水管３２、３２Ｂに挿入し、止め栓３５を分水管３２、３２Ｂの端部にねじ込み、パッキング３６Ｂの端面により、前記分水穴３１、３１Ｂ内側まわりに位置する前記分水栓本体２１内のパッキング２９の上部（当該パッキング２９による前記弁座２３の分水穴２５の密閉状態確保に差し障りのない上部）、コマ３０の周面等を、当該分水栓本体２１、２１Ｂの内側面に沿うように支承する。
【００１４】
また、前記分水管３２の先端部がその基部より下降する（図１、３、４では右端を左端よりやや低くなる）ように構成すれば、当該分水管３２内に残留しょうとする水がその先下がり傾斜により積極的に外部へ排出され、当該分水管３２内に残留しようとする水を一層効果的に排出する。
【００１５】
【実施例】
以下、この発明に係る不凍結分水栓の第１、第２実施例を、添付の図１〜４を参照して説明する。なお、図５に略示した従来例の分水栓と共通する部分には、同一名称及び同一符号を用いる。
【００１６】
【第１実施例】
図１はこの発明に係る不凍結分水栓の第１実施例の、配水管１５の分水栓取付穴１６に溶接等により取付けたものの模式縦断説明図で、同図１では分水栓２０と同分水栓２０取付け部近傍の配水管１５まわりを硬質ウレタンフォーム３９を充填した下部カバー３７で被覆すると共に、同分水栓２０上部を、頂部に開閉可能な蓋４３を備え、グラスウール４７を充填した分水栓カバー４０により被覆したもの略示した。図２は図１のＡ−Ａ線に沿う模式横断説明図、図３はこの分水栓２０の分水栓本体２１の弁座２３近接上位の分水穴３１まわりに、分水管３２基部を溶着した分水栓本体２１の模式拡大縦断説明図である。
【００１７】
図１〜３において、２４は分水栓本体２１下部の弁座２３の傾斜する受面、２５は弁座２４中央部の分水穴、θは受面２４の頂角で、例えば、１２０°程度に構成される。２６は分水栓本体２１に挿入した栓棒、２７は分水栓本体２１の頂部にねじ込み、ねじ戻しにより着脱可能するキャップ、２８は栓棒２６の上端に取付けたハンドル、２９はパッキング、２９Ｂはパッキング２９の止めねじ、３０はコマ、３１は分水栓本体２１の弁座２３の近接上位の周壁に設けた分水穴で、分水穴３１の内側下面と前記受面２４の上縁との間隔Ｈを、当該分水栓本体２１の基部の強度を阻害しない範囲で、可能な限り小さく構成する。
【００１８】
３２は分水栓本体２１基部の分水穴３１まわりに基部を溶着３４した分水管、３３は分水管３２の端部に、同端部にねじ込んだ止め栓３５に代えてねじ込みにより取付ける分水管、３６は分水管３２に挿入した第２栓棒、３６Ａ及び３６Ｂは分水管３２に挿入したコマ及びパッキング、３７は配水管１５周壁の分水栓２０取付部まわりを、硬質ウレタンフォーム３９を充填して防寒する下部カバー、３８は下部カバー３７頂部のフランジである。
【００１９】
４０は分水栓カバーで、分水栓カバー４０は分水栓２０上部の操作レバー２８まわりを保護する。４１は分水栓カバー４０のカバー筒、４２はカバー筒４１下部のフランジで、前記フランジ３８にパッキング４６を介してボルト４５締め、固定される。４３はカバー筒４１の蓋で、蓋４３はレバー４４によりカバー筒４１の頂部を開閉可能にし、分水栓カバー４０により分水栓２０の保護状態を維持しながら、蓋４３を開放してハンドル２８を回わし、栓棒２６、コマ３０等を介してパッキング２９により分水穴２５を開閉可能にする。４７はカバー筒４１内に充填した防寒材としてのグラスウールである。
【００２０】
【第１実施例の作用】
水道等の送、配水管１５周壁の適所の分水栓取付穴１６に、分水栓２０の分水栓本体２１基部を挿入し、溶接等の適宜固着手段により取付けた後、この分水栓２０と同分水栓２０の分水栓本体２１基部を溶着した配水管１５まわりを、硬質ウレタンフォーム３９を充填した下部カバー３７で被覆する。
【００２１】
分水栓２０頂部に配した分水栓カバー４０のカバー筒４１下部のフランジ４２を下部カバー３７頂部のフランジ３８上に載せてボルト４５止めした後、レバー４４を起して蓋４３を開き、同カバー筒４１内にガラスウール４７を充填し、この不凍結分水栓２０を寒冷地使用環境を整える。
なお、この不凍結分水栓２０を温暖地で使用する場合には、前記下部カバー３７、分水栓カバー４０、硬質ウレタンフォーム３９、グラスウール４７等の配設を省略できる。
【００２２】
次いで、分水栓カバー４０の蓋４３を開き、ハンドル２８により栓棒２６を回わし、パッキング２９を弁座２３の受面２４に押圧して分水穴２５を閉塞した後、分水管３２の止め栓３５を回わし、第２弁棒３６を介してコマ３６Ａ、パッキング３６Ｂ等を分水管３２から引出して適所に保管し、次いで、分水管３２端部の止め栓３５取外した部分に、受水管３３又は図示しない圧力計をねじ締め等により取付ける。
【００２３】
配水管１５への通水後、又は同通水に併せてレバー４４を起し、蓋４３を開いてハンドル２８により栓棒２６を所定方向に回し、パッキング２９を後退させて分水穴２５を開くと、配水管１５内の水が分水穴２５、分水穴３１を通して分水管３２へ進み、受水管３３を介して所要量の水が受水され、又は圧力計による配水管１５内の圧力測定等がなされる。
【００２４】
取水又は圧力計測等の作業終了後、ハンドル２８を前記と逆向き回わすことにより、栓棒２６によりコマ３０を介してパッキング２９を弁座２３の受面２４に押圧し、分水口２５を閉塞する。次いで、分水管３２端部から受水管３３又は圧力計等を外す。仮に、分水管３２内に水があれば、同分水管３２の端部開口（図１、３では右端の開口）から外部に流出する。なお、必要があれば、同分水管３２内に残る水を適宜手段により排出する。その後、分水管３２にパッキング３６、コマ３６Ａ、第２栓棒３６等を挿入し、止め栓３５のねじ込みにより、ハッキング３６Ｂを前記分水穴３１内に進め、その端面を分水栓本体２１の内側面に沿わせ、前記パッキング２９、コマ３０のガイド機能を確保すると共に、パッキング３６Ｂにより分水穴３１及び分水管３２の基部（図１では左側部）を閉塞する一方、前記パッキング２９と前記弁座２３との密接により分水穴２５、ひいては当該分水栓２０を閉塞する。
これらの操作後、又は前記ハンドル２８の操作終了後、カバー筒４１の蓋４３を閉めてレバー４４により閉塞状態を確保し、次回の操作に備える。
【００２５】
なお、この分水栓２０を繰返し使用すると、当該分水栓２０のハッキング２９が摩耗、損耗するのでその交換の必要性が生ずるが、この実施例によれば、この場合にも多量の水を漏らすことなく、部品交換を行なえる。ハンドル２８を回わしてコマ３０パッキング２９が分水穴３１より上に（全開にする）まで開く。次に、分水管３２より第２栓棒３６を更に押込み、パッキング３６を分水栓本体２１の内面に密接させる｛なお、パッキング３６の先端部（図１では左側部）にかなりの可撓性が要求される。｝ことにより、配水管１５の水が分水口２５を介して分水栓本体２１の下部に進入しても、前記分水栓本体２１内において変形した前記パッキング３６Ｂより上方への流出が阻止されるので、分水栓本体２１の頂部からキャップ２７を外して栓棒２６を引き抜くことにより、パッキング２９の交換等を容易に行なえる。
【００２６】
なお、この第１実施例の分水栓本体２１基部側壁の分水穴３１まわりに設けた分水管３２内に、同分水管３２及び分水穴３１に摺接し、その全長に旦って往復動可能なパッキング２９を設けることにより、分水管３２及び分水穴３１内に残留しようとする水の排出を容易にすることが可能になる。
【００２７】
【変形例】
前記分水栓本体２１基部周壁の弁座２３の近接上位の分水穴３１に基部を設けたほぼ直線状をなす分水管３２を、図示しないが、その先端部（図１では右側端部）を基部より僅かに降下するように設ければ、当該分水管３２が前記第１実施例の分水管３２と同様な機能を奏する外、当該分水管３２内に残留しようとする水が、分水管３２基部より先端側へ、その自重による自動的に排水される。
【００２８】
なお、分水栓本体２１基部周壁の弁座２３近接上位の分水穴３１に基部を溶着等により取付けた分水管３２を、その先端が基部より僅かに降下させるこの変形例の構成は、後述の第２実施例の分水栓本体２１Ｂの基部周壁の弁座２３Ｂ近接上位の分水穴３１Ｂに基部を設ける分水管３２Ｂにも、そのまま適用できる。
【００２９】
【第２実施例】
次に、この発明に係る不凍結分水栓の第２実施例を、その要部をなす分水栓本体２１Ｂの模式拡大縦断説明図の図４を参照して説明する。なお、前記第１実施例と共通する部分には、同一名称及び同一符号を用いる。また、図４では、前記第１実施例と共通する他部分の図示を省略し、その分水栓本体２１Ｂを、前記第１実施例の分水栓本体２１の模式拡大縦断説明図の図３とほぼ同要領で略示した。
【００３０】
図４において、１５Ａは分水栓取付穴１６Ｂまわり周壁外側に補強板１５Ｂを溶接した配水管、１５Ｃはこの発明の第２実施例の不凍結分水栓２０Ｂの分水栓本体２１Ｂ基部に形成したねじ部で、ねじ部１５Ｃは配水管１５Ａ周壁外側（図４では上側）に補強板１５Ｂを溶着した補強部に設けた分水栓取付穴１６Ｂまわりに構成したねじ部（ただし、雌雄関係は逆）を、図示しない適宜シール材と共にねじ込み、固定する。３４Ｂは分水栓本体２１Ｂ基部の受面２４近接上位の側壁に設けた分水穴３１Ｂまわりのねじ部で、分水管３２Ｂ基部まわりにも同様なねじ部３４Ｂ（ただし、雄雌関係は逆）が構成され、図示しない適宜シール材と共にねじ込み固定する。なお、分水栓本体２１Ｂ、分水管３２Ｂには前記第１実施例のハンドル２８付栓棒２６、コマ３０、パッキング２９、止め栓３５、第２栓棒３６、コマ３６Ａ、パッキング３６Ｂ等と同様な部材が挿入され、それらとほぼ同様な作用をするが、ここではそれらの図示を省略した。
【００３１】
この第２実施例の不凍結分水栓２０Ｂは、配水管１５Ａ周壁の分水栓取付穴１６Ｂまわりが補強板１５Ｂ溶接により補強されると共に、同分水栓取付穴１６Ｂまわりに雌ねじが構成され、分水栓本体２１Ｂ基部外周まわりの雄ねじを適宜シール材を介してねじ締め、固定する一方、同分水栓本体２１Ｂ基部側壁の、前記弁座２３近接上の分水穴３１まわりの雌ねじに、分水管３２Ｂ基部の雄ねじ部を適宜シール材を介してねじ込み、固定して分水栓本体２１Ｂ部を構成する点で、前記第１実施例の不凍結分水栓２０の分水栓本体２１部に比べて、その構造及び送、配水管１５Ａへの取付構造が簡易化される外、その余の構成及び作用等は、前記第１実施例とほぼ同様である。
【００３２】
なお、分水穴３１Ｂは分水栓本体２１Ｂ基部の弁座２３まわりの強度を損なわない限り、また、栓棒２６端部のパッキング２９（前記第１実施例を略示する図１参照）と弁座２３との密接による分水穴２５の密閉の妨げにならない範囲において、可能な限り当該分水栓２０Ｂの弁座２３に近接する（同第１実施例の図３におけるＨに相当する間隔が、できるだけ短くなる）ように構成するのがよい。
【００３３】
【発明の効果】
（１）  分水栓本体基部の弁座の分水穴を栓棒によりパッキングで開閉可能にすると共に、当該分水栓本体基部の弁座に近接上位の分水穴まわりに分水管を取付けたから、適時、栓棒をまわして弁座の分水穴を開放して、分水管から所要量の分水をし、又は同分水管端部に設けた圧力計による送、配水管内の圧力測定等の操作を行なえる外、分水管からの分水又は圧力計を介する圧力測定等の操作終了後、分水栓本体内の栓棒を逆に回わしてパッキングで分水穴を閉塞し、分水管端部から受水管又は圧力計等を外すと、同分水栓内の水が分水管の端部から排出され、当該分水栓本体内に実質的に水を残留させない。
【００３４】
（２）  分水栓本体基部の弁座近傍上位の分水穴に分水管を設けたから、ハンドル等の適宜手段で栓棒を回わしてパッキングで弁座の分水穴を閉塞する一方、前記分水穴に基部を取付けた分水管の開放により、当該分水栓内に流入した水が効果的に排水され、当該分水栓内には水が殆ど残留しないから、残留水の凍結に基づく当該分水栓の破損を招く恐れがない。
【００３５】
（３）  送、配水管周壁の分水管取付穴に基部を取付けた分水栓の分水栓本体基部の弁座の分水穴をハンドル等により栓棒を回わしてパッキングで閉塞することにより、この分水栓を送、配水管に装着したまま他の部分、例えば、分水管等を開放してその部品交換、調整、修理等を自由に行なえる。
【００３６】
（４）  この分水栓の装着部まわりの送、配水管への送、配水を停止すれば、この分水栓を当該送、配水管から取外すことなく、分水管及びそのパッキング等の点検、修理、交換等の操作に併せて、分水栓本体、その弁座、分水穴、さらには、当該分水栓本体からパッキング、コマ、栓棒、ハンドル等を抜き出すことにより、それらの点検、調整、修理、交換等を自由に行なえる。
【００３７】
（５）  前記分水栓本体基部側壁の弁座近接上位に分水穴を設けると共に、該分水穴に先端が基部より僅かに降下する分水管を装着すれば、当該分水栓内に流入した水が、その端部が基部より僅かに降下する分水管に沿ってその自重により排水され、ひいては、当該分水栓内に残留する水の凍結による当該分水栓の破損発生を効果的に防止できる。
【図面の簡単な説明】
【図１】この発明に係る不凍結分水栓の第１実施例を、配水管の分水穴に溶接等により取付けると共に、同分水栓まりを硬質ウレタンフォームを充填したカバーにより被覆すると共に、その上部を開示可能なキャップを備え、硬質ウレタンフォームを充填して分水栓及び当該分水栓取付部近傍の配水管まわりの下部カバーを併せて縦断して略示する模式模式縦断説明図である。
【図２】図１のＡ−Ａ線に沿う模式横断説明図である。
【図３】図３はこの分水栓の要部をなす分水栓本体及び分水管部分の模式拡大縦断説明図である。
【図４】この発明に係る不凍結分水栓の第２実施例の要部をなす分水栓本体及び分水管部分の模式拡大縦断説明図である。
【図５】従来の分水栓の模式縦断説明図である。
【符号の説明】
１……分水栓
２……胴（分水栓）
３……ボール（分水栓）
３Ａ……通水穴（ボール）
３ＡＡ……通水穴（水平）
４……ボール押え
５……ボールシート
６……栓棒
７……保護ナット
８……キャップ
９……ガスケット
１０……分水管
１１……サドル
１２……ガスケット
１３……バンド
１４……ボルト
１５、１５Ａ……配水管
１５Ｂ……補強板
１５Ｃ……ねじ部
１６、１６Ｂ……分水栓取付穴
２０、２０Ｂ……分水栓
２１、２１Ｂ……分水栓本体
２３……弁座
２４……受面
２５……分水穴
２６……栓棒
２７……キャップ
２８……ハンドル
２９、３６Ｂ……パッキンング
２９Ｂ……止めねじ
３０、３６Ａ……コマ
３１、３１Ｂ……分水穴
３２、３２Ｂ……分水管
３３……受水管
３４……溶着部
３４Ｂ……ねじ部
３５……止め栓
３６……第２栓棒
３７……下部カバー
３８、４２……フランジ
３９……硬質ウレタンフォーム
４０……分水栓カバー
４１……カバー筒
４３……蓋
４４……レバー
４５……ボルト
４６……パッキング
４７……グラスウール
【図１】
0003543787.tif 000002
【図２】
0003543787.tif 000003
【図３】
0003543787.tif 000004
【図４】
0003543787.tif 000005
【図５】
0003543787.tif 000006